【手続補正書】
【提出日】平成25年4月5日(2013.4.5)
【手続補正１】
【補正対象書類名】特許請求の範囲
【補正対象項目名】全文
【補正方法】変更
【補正の内容】
【特許請求の範囲】
【請求項１】
表示装置の表示画面に画像を表示させる表示制御装置であって、
ユーザに観察させるための観察用の映像を前記表示画面に表示させる表示手段と、
通信可能に接続された撮像装置と通信する通信手段と、
前記通信手段を介して前記撮像装置から撮影準備信号を受信したことに応じて、前記表示画面における表示を、前記観察用の映像から前記撮像装置によって撮影されるべく予め用意された撮影用の映像に切り替える制御手段とを備えることを特徴とする表示制御装置。
【請求項２】
前記撮影用の映像は複数のマーカが配置されたマーカ映像であり、
前記制御手段は、前記撮影準備信号を受信したことに応じて、前記マーカ映像と前記観察用の映像とを前記表示画面に交互に表示することを開始することを特徴とする請求項１に記載の表示制御装置。
【請求項３】
前記撮像装置により撮影して得られた撮影画像を前記通信手段を介して取得する取得手段と、
前記撮影画像に含まれている前記マーカの画像に基づいて、前記表示画面における前記撮影画像の位置を検出する検出手段とを更に備え、
前記制御手段は、前記検出手段により前記位置の検出に成功した場合に、前記制御手段による前記マーカ映像の表示を停止することを特徴とする請求項２に記載の表示制御装置。
【請求項４】
前記制御手段は、前記検出手段による前記位置の検出に失敗した場合、前記観察用の映像と前記マーカ映像の交互の表示において、前記マーカ映像の単位時間あたりの表示期間を増加させることを特徴とする請求項３に記載の表示制御装置。
【請求項５】
前記制御手段は、前記マーカ映像の単位時間あたりの表示期間を増加させる場合に、前記交互の表示において前記マーカ映像を連続して表示する期間を延長することを特徴とする請求項４に記載の表示制御装置。
【請求項６】
前記制御手段は、前記マーカ映像の単位時間あたりの表示期間を増加させる場合に、前記交互の表示において前記マーカ映像を表示する間隔を短縮することを特徴とする請求項４に記載の表示制御装置。
【請求項７】
前記制御手段は、前記マーカ映像の単位時間あたりの表示期間を増加させる場合に、前記交互の表示において前記マーカ映像を連続して表示する期間を延長するとともに前記マーカ映像を表示する間隔を短縮することを特徴とする請求項４に記載の表示制御装置。
【請求項８】
前記制御手段は、前記撮影準備信号の受信に応じて、コンピュータによる情報の読み取りが可能なコード画像を含む映像を、前記撮影用の映像として前記表示画面に表示することを特徴とする請求項１に記載の表示制御装置。
【請求項９】
前記撮影準備信号は、前記撮像装置に備わる特定の操作手段がユーザによって操作されたことに応じて送信される信号であることを特徴とする請求項１乃至８のいずれか１項に記載の表示制御装置。
【請求項１０】
前記特定の操作手段は、前記撮像装置での撮像を指示するためのシャッター操作部であることを特徴とする請求項９に記載の表示制御装置。
【請求項１１】
前記特定の操作手段に対する第１の操作に応じて前記撮像装置における撮影準備処理が行われるとともに前記撮影準備信号が送信され、前記特定の操作手段に対する第２の操作に応じて前記撮像装置での撮像が行われることを特徴とする請求項１０に記載の表示制御装置。
【請求項１２】
前記第１の操作は前記特定の操作手段の半押しであり、前記第２の操作は前記特定の操作手段の全押しであることを特徴とする請求項１１に記載の表示制御装置。
【請求項１３】
前記撮影準備信号は、前記撮像装置でのオートフォーカス処理の開始指示に応じて送信される信号であることを特徴とする請求項１乃至１２のいずれか１項に記載の表示制御装置。
【請求項１４】
表示装置の表示画面に画像を表示させる表示制御装置と、該表示制御装置と通信可能な撮像装置とを有する表示制御システムであって、
前記表示制御装置は、
ユーザに観察させるための観察用の映像を前記表示画面に表示させる表示手段と、
通信可能に接続された前記撮像装置と通信する通信手段と、
前記通信手段を介して前記撮像装置から撮影準備信号を受信したことに応じて、前記表示画面における表示を、前記観察用の映像から前記撮像装置によって撮影されるべく予め用意された撮影用の映像に切り替える制御手段と、を備え、
前記撮像装置は、
撮像手段と、
前記撮像手段での撮像を行うための撮影準備処理の開始を指示する操作手段と、
前記操作手段に対する操作に応じて前記撮影準備処理を行うとともに、前記撮影準備信号を前記通信手段を介して前記表示制御装置に送信するように制御する撮影準備処理手段と、
前記撮影準備処理の開始後に前記撮像手段での撮像を行い、該撮像によって得られた画像を前記通信手段を介して前記表示制御装置に送信するように制御する撮影処理手段と、を備えることを特徴とする表示制御システム。
【請求項１５】
前記操作手段は、前記撮像装置での撮像を指示するためのシャッター操作部であることを特徴とする請求項１４に記載の表示制御システム。
【請求項１６】
前記撮影準備処理手段は、前記操作手段に対する第１の操作に応じて前記撮像装置における前記撮影準備処理を行うとともに前記撮影準備信号を送信し、
前記撮影処理手段は、前記操作手段に対する第２の操作に応じて前記撮像を行い、該撮像によって得られた画像を前記表示制御装置へ送信することを特徴とする請求項１５に記載の表示制御システム。
【請求項１７】
前記第１の操作は前記操作手段の半押しであり、前記第２の操作は前記操作手段の全押しであることを特徴とする請求項１６に記載の表示制御システム。
【請求項１８】
前記撮影準備処理は、オートフォーカス処理を含むことを特徴とする請求項１４乃至１７のいずれか１項に記載の表示制御システム。
【請求項１９】
表示装置の表示画面に画像を表示させる表示制御装置の表示制御方法であって、
表示手段が、ユーザに観察させるための観察用の映像を前記表示画面に表示させる表示工程と、
制御手段が、通信手段を介して通信可能に接続された撮像装置から撮影準備信号を受信したことに応じて、前記表示画面における表示を、前記観察用の映像から前記撮像装置によって撮影されるべく予め用意された撮影用の映像に切り替える制御工程とを有することを特徴とする表示制御装置の制御方法。
【請求項２０】
表示装置の表示画面に画像を表示させる表示制御装置と、該表示制御装置と通信可能な撮像装置とを有する表示制御システムの制御方法であって、
前記表示制御装置が、ユーザに観察させるための観察用の映像を前記表示画面に表示させる表示工程と、
前記表示制御装置が、通信手段を介して通信可能に接続された前記撮像装置と通信する通信工程と、
前記表示制御装置が、前記通信手段を介して前記撮像装置から撮影準備信号を受信したことに応じて、前記表示画面における表示を、前記観察用の映像から前記撮像装置によって撮影されるべく予め用意された撮影用の映像に切り替える制御工程と、
前記撮像装置が、撮像手段での撮像を行うための撮影準備処理の開始を指示する操作に応じて前記撮影準備処理を行うとともに、前記撮影準備信号を前記通信手段を介して前記表示制御装置に送信するように制御する撮影準備処理工程と、
前記撮像装置が、前記撮影準備処理の開始後に前記撮像手段での撮像を行い、該撮像によって得られた画像を前記通信手段を介して前記表示制御装置に送信するように制御する撮影処理工程と、を有することを特徴とする表示制御システムの制御方法。
【請求項２１】
コンピュータを、請求項１乃至１３のいずれか１項に記載の表示制御装置の各手段として機能させるためのプログラム。
【請求項２２】
請求項２１に記載のプログラムを格納したコンピュータ読み取り可能な記憶媒体。
【請求項２３】
コンピュータを、請求項１４乃至１８のいずれか１項に記載の表示制御システムの各手段として機能させるためのプログラム。
【請求項２４】
請求項２３に記載のプログラムを格納したコンピュータ読み取り可能な記憶媒体。
【手続補正２】
【補正対象書類名】明細書
【補正対象項目名】発明の名称
【補正方法】変更
【補正の内容】
【発明の名称】表示制御装置および表示制御システム、並びにそれらの制御方法、プログラム、記憶媒体
【手続補正３】
【補正対象書類名】明細書
【補正対象項目名】０００１
【補正方法】変更
【補正の内容】
【０００１】
本発明は、外部機器からの制御信号によって画像表示制御を変更する表示制御装置および表示制御システム、並びにそれらの制御方法、プログラム、記憶媒体に関するものである。